(57)【要約】【課題】  製品のコストアップ、小型軽量化の障害、および消費電力の増加を伴うことなく、妨害局信号レベルを効果的に減衰し、受信希望周波数の信号レベルの低下を抑制する。【解決手段】  受信した放送の高周波信号を増幅する高周波増幅回路１、可変発振周波数信号と高周波信号とを混合することにより低周波信号ｃを出力するミキサ回路２、低周波信号ｃの電界強度に応じた振幅の信号ｄを生成する低周波バンドパスフィルタ回路３、ミキサ回路２によって出力された低周波信号ｃに対してフィルタ処理を施す電界強度フィルタ回路６、７、信号ｄと信号ｇとの差を算出して信号ｈを生成する減算器９、信号ｈの振幅が特定の値よりも大きい場合には信号ｈを高周波増幅回路１の負帰還信号として選択し、信号ｈの振幅が特定の値以下である場合には信号ｇを負帰還信号として選択するＣＰＵ１２、を備えている。【選択図】      図１
2007019901.tif 000002
【特許請求の範囲】
【請求項１】
受信した放送の高周波信号を増幅する信号増幅手段と、
チャンネル選択信号に対応する可変発振周波数信号と前記信号増幅手段によって増幅された高周波信号とを混合することにより低周波信号を出力する信号混合手段と、
前記信号混合手段によって出力された低周波信号の電界強度に応じた振幅の第１の信号を生成する信号生成手段と、
前記信号混合手段によって出力された低周波信号に対して受信地域に対応する周波数帯域幅によってフィルタ処理を施す信号処理手段と、
前記第１の信号と前記信号処理手段によって処理された信号との差を算出して第２の信号を生成する信号減算手段と、
前記第２の信号の振幅が特定の値よりも大きい場合には前記第２の信号を前記信号増幅手段に入力する負帰還信号として選択し、前記第２の信号の振幅が特定の値以下である場合には前記第１の信号を前記信号増幅手段に入力する負帰還信号として選択する信号選択手段と、
を備えた放送受信装置。
【請求項２】
前記第１の信号を異なる周波数帯域幅で周波数分離して複数系統の信号を生成する信号分離手段をさらに備え、前記信号選択手段は、チャンネル選択信号に応じて前記複数系統の信号の中から１つの第３の信号を選択し、前記減算手段は、前記第３の信号と前記信号処理手段によって処理された信号との差を算出して第２の信号を生成することを特徴とする請求項１に記載の放送受信装置。
【請求項３】
前記信号選択手段は、チャンネル選択信号に応じて受信可能なチャンネル数によって設定した周波数帯域幅に対応した第３の信号を選択することを特徴とする請求項２に記載の放送受信装置。
【請求項４】
受信した放送の高周波信号を所定の信号増幅手段によって増幅するステップＡと、
チャンネル選択信号に対応する可変発振周波数信号と前記信号増幅手段によって増幅された高周波信号とを混合することにより低周波信号を出力するステップＢと、
前記ステップＢによって出力された低周波信号の電界強度に応じた振幅の第１の信号を生成するステップＣと、
前記ステップＢによって出力された低周波信号に対して受信地域に対応する周波数帯域幅によってフィルタ処理を施すステップＤと、
前記第１の信号と前記ステップＤによって処理された信号との差を算出して第２の信号を生成するステップＥと、
前記第２の信号の振幅が特定の値よりも大きい場合には前記第２の信号を前記信号増幅手段に入力する負帰還信号として選択し、前記第２の信号の振幅が特定の値以下である場合には前記第１の信号を前記信号増幅手段に入力する負帰還信号として選択するステップＦと、
を実行する放送受信方法。
【請求項５】
前記第１の信号を異なる周波数帯域幅で周波数分離して複数系統の信号を生成するステップＧをさらに有し、前記ステップＦは、チャンネル選択信号に応じて前記複数系統の信号の中から１つの第３の信号を選択し、前記ステップＥは、前記第３の信号と前記ステップＤによって処理された信号との差を算出して第２の信号を生成することを特徴とする請求項４に記載の放送受信方法。
【請求項６】
前記ステップＦは、チャンネル選択信号に応じて受信可能なチャンネル数によって設定した周波数帯域幅に対応した第３の信号を選択することを特徴とする請求項５に記載の放送受信方法。
【発明の詳細な説明】
【技術分野】
【０００１】
本発明は、放送受信装置および放送受信方法に関し、特に、受信信号の振幅を制御する放送受信装置および放送受信方法に関するものである。
【背景技術】
【０００２】
既に放送が実施されている放送衛星によるＢＳ放送や通信衛星によるＣＳ放送のほかに、２００３年１２月から一部の地域で地上波デジタル放送が開始されている。図８は、デジタル波を受信する従来のテレビ受信装置における受信回路を示す図である。図９は、関東地区における１６チャンネルのアナログ波およびチャンネル番号２０〜２７の８チャンネルのデジタル波の電波分布を示す図である。図８において、ＲＦ−ＡＭＰ（高周波増幅回路）２１は、アンテナから受信する高周波信号を増幅してＭＩＸＥＲ（ミキサ回路）２２に出力する。ＭＩＸＥＲ２２は、局部発振回路（図示せず）からの局部発振信号と、ＲＦ−ＡＭＰ２１から出力される高周波信号とを混合して、低周波信号をＩＦ―ＢＰＦ（低周波バンドパスフィルタ回路）２３に入力する。ＩＦ―ＢＰＦ２３は、ＭＩＸＥＲ２２から入力される低周波信号に対して所定の帯域幅のフィルタ処理を行って、ＩＦ−ＡＭＰ（低周波増幅回路）２４に入力する。ＩＦ−ＡＭＰ２４は、復調回路（図示せず）からのフィードバック信号によって増幅率の制御がなされる。ＲＳＳＩ・Ｆｉｌｔｅｒ（電界強度フィルタ回路）２５は、ＭＩＸＥＲ２２から入力される低周波信号の電界強度に応じたフィードバック信号を高周波増幅回路２１に入力して増幅率の制御を行う。
【０００３】
図８に示した受信回路において、ＲＦ−ＡＭＰ２１は複数のデジタル波のほかにアナログ波も受信するので、ＲＳＳＩ・Ｆｉｌｔｅｒ２５からは受信した全ての電波の電界強度が含まれてしまう。図９に示すように、チャンネル番号２０ないし２７の８チャンネルのデジタル波を受信可能な周波数帯域において、ある１つのチャンネル番号のデジタル波を受信する場合には、隣接する他のデジタル波やアナログ波が混入する場合がある。このため、ユーザのチャンネル選択に応じた所望のチャンネル番号のデジタル波を受信しても、他のデジタル波およびアナログ波が妨害信号となるおそれがあった。
【０００４】
この対策として、例えば、ある特許文献において受信機および受信方法の提案がなされている。この特許文献によれば、ＩＭ（相互変調）妨害局信号レベルを効果的に減衰し、受信局信号レベルの低下を抑制するために、メインチューナとサブチューナとを備え、メインチューナで放送電波を受信して復調しながら、サブチューナで放送電波の状態を検出し、検出結果に基づいてメインチューナにおける受信状態を制御する。すなわち、同調周波数制御部は、サブチューナを用いて、受信局に対して相互変調妨害局となる２つの局を検出し、その２つの局のうち受信局に近い妨害局の周波数と受信局周波数の差が第１の設定値以下の場合には、同調回路の同調周波数を妨害局周波数より離し、差が第１の設定値より大きな第２の設定値以上の場合には、同調回路の同調周波数を妨害局周波数に近づける。（特許文献１参照）
【特許文献１】特開２００４−２２９１７０号公報
【発明の開示】
【発明が解決しようとする課題】
【０００５】
しかしながら、上記特許文献１のように、メインチューナのほかにサブチューナを備えることは、製品のコストアップ、小型軽量化の障害、および消費電力の増加といった新たな問題が発生することになる。地上波デジタル放送については、携帯電話機などの移動通信端末に対する放送が予定されているので、特に、小型軽量化の障害および消費電力の増加は是非とも解決しなれければならない課題であるので、妨害波を減衰するためにこのような問題が発生することは好ましくない。
本発明は、このような従来の課題を解決するためのものであり、製品のコストアップ、小型軽量化の障害、および消費電力の増加を伴うことなく、妨害局信号レベルを効果的に減衰し、受信希望周波数の信号レベルの低下を抑制することを目的とする。
【課題を解決するための手段】
【０００６】
請求項１に記載の放送受信装置は、受信した放送の高周波信号を増幅する信号増幅手段（実施形態においては、図１の高周波増幅回路１に相当する）と、チャンネル選択信号に対応する可変発振周波数信号と信号増幅手段によって増幅された高周波信号とを混合することにより低周波信号を出力する信号混合手段（実施形態においては、図１のミキサ回路２に相当する）と、信号混合手段によって出力された低周波信号の電界強度に応じた振幅の第１の信号（実施形態においては、図１の信号ｄに相当する）を生成する信号生成手段（実施形態においては、図１の低周波バンドパスフィルタ回路３に相当する）と、信号混合手段によって出力された低周波信号に対して受信地域に対応する周波数帯域幅によってフィルタ処理を施す信号処理手段（実施形態においては、図１の電界強度フィルタ回路６、７に相当する）と、第１の信号と信号処理手段によって処理された信号（実施形態においては、図１の信号ｇに相当する）との差を算出して第２の信号（実施形態においては、信号ｈに相当する）を生成する信号減算手段（実施形態においては、減算器９に相当する）と、第２の信号の振幅が特定の値よりも大きい場合には第２の信号を信号増幅手段に入力する負帰還信号として選択し、第２の信号の振幅が特定の値以下である場合には第１の信号を信号増幅手段に入力する負帰還信号として選択する信号選択手段（実施形態においては、図１のＣＰＵ１２に相当する）と、を備えた構成になっている。
【０００７】
請求項１の放送受信装置において、請求項２に記載したように、第１の信号を異なる周波数帯域幅で周波数分離して複数系統の信号を生成する信号分離手段（実施形態においては、図１の電界強度フィルタ回路６、７およびスイッチ回路８に相当する）をさらに備え、信号選択手段は、チャンネル選択信号に応じて複数系統の信号（実施形態においては、図１の信号ｇ１、ｇ２に相当する）の中から１つの第３の信号（実施形態においては、信号ｇに相当する）を選択し、減算手段は、第３の信号と信号処理手段によって処理された信号との差を算出して第２の信号を生成するような構成にしてもよい。
さらに請求項２の放送受信装置において、請求項３に記載したように、信号選択手段は、チャンネル選択信号に応じて受信可能なチャンネル数によって設定した周波数帯域幅に対応した第３の信号を選択するような構成にしてもよい。
【０００８】
請求項４に記載の放送受信方法は、受信した放送の高周波信号を所定の信号増幅手段（実施形態においては、図１の高周波増幅回路１に相当する）によって増幅するステップＡと、チャンネル選択信号に対応する可変発振周波数信号と信号増幅手段によって増幅された高周波信号とを混合することにより低周波信号を出力するステップＢと、ステップＢによって出力された低周波信号の電界強度に応じた振幅の第１の信号（実施形態においては、図１の信号ｇに相当する）を生成するステップＣと、ステップＢによって出力された低周波信号に対して受信地域に対応する周波数帯域幅によってフィルタ処理を施すステップＤと、第１の信号とステップＤによって処理された信号との差を算出して第２の信号（実施形態においては、図１の信号ｈに相当する）を生成するステップＥと、第２の信号の振幅が特定の値よりも大きい場合には第２の信号を信号増幅手段に入力する負帰還信号として選択し、第２の信号の振幅が特定の値以下である場合には第１の信号を信号増幅手段に入力する負帰還信号として選択するステップＦと、を実行する構成になっている。
【０００９】
請求項４の放送受信方法において、請求項５に記載したように、第１の信号を異なる周波数帯域幅で周波数分離して複数系統の信号（実施形態においては、図１の信号ｇ１、ｇ２に相当する）を生成するステップＧをさらに有し、ステップＦは、チャンネル選択信号に応じて複数系統の信号の中から１つの第３の信号（実施形態においては、図１の信号ｇに相当する）を選択し、ステップＥは、第３の信号とステップＤによって処理された信号との差を算出して第２の信号を生成するような構成にしてもよい。
さらに請求項５の放送受信方法において、請求項６に記載したように、ステップＦは、チャンネル選択信号に応じて受信可能なチャンネル数によって設定した周波数帯域幅に対応した第３の信号を選択するような構成にしてもよい。
【発明の効果】
【００１０】
本発明の放送受信装置および放送受信方法によれば、製品のコストアップ、小型軽量化の障害、および消費電力の増加を伴うことなく、妨害局信号レベルを効果的に減衰し、受信希望周波数の信号レベルの低下を抑制するという効果が得られる。
【発明を実施するための最良の形態】
【００１１】
以下、本発明による放送受信装置の実施形態について、図１ないし図７を参照して説明する。
図１は、実施形態における放送受信装置の一部の構成を示す概略ブロック図である。図１に示すように、放送受信装置は、ＲＦ−ＡＭＰ（高周波増幅回路）１、ＭＩＸＥＲ（ミキサ回路）２、ＩＦ−ＢＰＦ（低周波バンドパスフィルタ回路）３、ＩＦ−ＡＭＰ（低周波増幅回路）４、ＬＩＭＩＴ（リミッタ回路）５、ＲＳＳＩ・Ｆｉｌｔｅｒ（電界強度フィルタ回路）６、ＲＳＳＩ・Ｆｉｌｔｅｒ７、ＳＷ（スイッチ回路）８、減算器９、ＳＷ１０、ＲＦ−ＡＧＣ（利得制御回路）１１、ＣＰＵ１２、および、図には示さない復調回路などで構成されている。
【００１２】
ＲＦ−ＡＭＰ１は、アンテナから高周波信号ａを受信して、増幅した高周波信号ｂをＭＩＸＥＲ２に入力する。ＭＩＸＥＲ２は、局部発振回路（図示せず）から入力される可変発振周波数信号と高周波信号ｂとを混合することにより低周波信号ｃを生成し、ＩＦ―ＢＰＦ３に入力する。ＩＦ―ＢＰＦ３は、ＭＩＸＥＲ２から入力された低周波信号ｃの中から、地上波デジタル放送の低周波信号の帯域幅でフィルタ処理を行って、フィルタ処理後の低周波信号ｄをＩＦ−ＡＭＰ４に入力する。ＩＦ−ＡＭＰ４は、その低周波信号ｄを増幅して低周波信号ｅを復調回路に入力するとともに、その復調回路からのフィードバック信号ｆに応じて出力レベルを制御する。
【００１３】
ＲＦ−ＡＭＰ１から出力される高周波信号ｂはＬＩＭＩＴ５に入力される。図２は、ＬＩＭＩＴ５の入出力の動作を示す図である。図２（Ａ）に示すように、ＬＩＭＩＴ５の入力のマイナス側には高周波信号ｂが供給され、プラス側には基準のＰ１ｄＢの閾値信号ｔｈが供給される。ＬＩＭＩＴ５はこれら２つのアナログ信号を比較して２値のデジタル信号ｐをＬＩＭＩＴ  Ｄａｔａとして出力する。すなわち、図２（Ｂ）に示すように、マイナス側の高周波信号ｂが閾値Ｐ１ｄＢ未満のときはＨ（ハイレベルの信号ｐを出力し、マイナス側の高周波信号ｂが閾値Ｐ１ｄＢ以上のときはＬ（ローレベル）の信号ｐを出力する。一般に、ＭＩＸＥＲ２の入力許容範囲は、図２（Ｃ）に示すようなＰ１ｄＢの値で決定される極めて小さい値である。ＭＩＸＥＲ２の出力に歪みの起きる限界のＰ１ｄＢは、ＭＩＸＥＲ２のＩＮ−Ｏｕｔ特性が理想的な線形の関係にあった場合の出力ｂ１と比べて１ｄＢ低下した出力ｂ２のポイントで定義される。ＲＦ−ＡＭＰ１の入力がＰ１ｄＢ未満であれば、ＲＦ−ＡＭＰ１の出力に歪みは発生せずＣ／Ｎも良好な値となる。ＲＦ−ＡＭＰ１の入力がＰ１ｄＢ以上になると、ＲＦ−ＡＭＰ１の出力に少しずつ歪みが発生し、ＲＦ−ＡＭＰ１の出力がｂ３以上になると、Ｃ／Ｎが非常に小さくなり受信性能が大幅に劣化する。したがって、ＲＦ−ＡＭＰ１の入力がＰ１ｄＢ以上で、出力がｂ３に達するまでがＬＩＭＩＴ  ｐｏｉｎｔの範囲として設定される。
【００１４】
図１において、アナログのＭＩＸＥＲ２から出力される低周波数信号ｃは、ＲＳＳＩ・Ｆｉｌｔｅｒ６およびＲＳＳＩ・Ｆｉｌｔｅｒ７に入力されて、異なる帯域幅のフィルタ処理がなされる。図３は、広い帯域を有するＲＳＳＩ・Ｆｉｌｔｅｒ６のバンドパス特性Ｆａと、狭い帯域を有するＲＳＳＩ・Ｆｉｌｔｅｒ７のバンドパス特性Ｆｂとの一例を示す図である。図１に示すように、ＲＳＳＩ・Ｆｉｌｔｅｒ６およびＲＳＳＩ・Ｆｉｌｔｅｒ７においてそれぞれフィルタ処理された２つの信号ｇ１、ｇ２はＳＷ８に入力されて、ＣＰＵ１２からの選択信号ｉによっていずれか１つのＲＳＳＩ・ＦｉｌｔｅｒからのＲＳＳＩの信号ｇが選択される。
【００１５】
図４は、ＣＰＵ１２の選択信号ｉがＨ（ハイレベル）又はＬ（ローレベル）のときのＳＷ８の選択結果を示す図である。ＣＰＵ１２は、受信しようとするデジタル波が多い場合には選択信号ｉをＨにして、広い帯域を有するＲＳＳＩ・Ｆｉｌｔｅｒ６からの信号ｇ１を選択し、デジタル波が少ない場合には選択信号ｉをＬにして、狭い帯域を有するＲＳＳＩ・Ｆｉｌｔｅｒ７からの信号ｇ２を選択する。図１に示すように、ＳＷ８で選択された信号ｇは、減算器９およびＳＷ１０に入力される。減算器９は、ＳＷ８で選択された信号ｇからＩＦ−ＢＰＦ３から出力された信号ｄを減算して、その差信号ｈをＳＷ１０およびＣＰＵ１２に入力する。ＣＰＵ１２は、その差信号ｈと特定の閾値とを比較して、ＳＷ１０の選択信号ｊを制御する。この選択信号ｊによって選択された信号ｋがＳＷ１０からＲＦ−ＡＧＣ１１に入力される。ＣＰＵ１２によるＳＷ８およびＳＷ１０の制御についてはさらに後述する。
【００１６】
図５は、ＲＦ−ＡＧＣ１１の内部回路を示す図である。ＲＦ−ＡＧＣ１１には、上記した信号ｋのほかに、ＬＩＭＩＴ５からの信号ｐおよびＣＰＵ１２からの信号ｍが入力される。信号ｋは、ＦＥＴスイッチ１１１がオンのときにバッファ１１２に入力され、ＲＦ−ＡＭＰ１にＡＧＣ信号ｑを入力する。信号ｐは、ＦＥＴスイッチ１１３がオンのときにＦＥＴスイッチ１１１のゲートに入力されて、ハイレベルのときにＦＥＴ１１１をオンにし、ローレベルのときにオフにする。信号ｍは、ハイレベルでＦＥＴ１１３をオンにし、ローレベルでオフにする。キャパシタ１１４は、信号ｍがハイレベルの状態において信号ｐがハイレベルからローレベルに変化すると、ＦＥＴスイッチ１１１がオンからオフに変化するので、変化の直前の信号ｋをホールドする。バッファ１１２は、信号ｐがハイレベルからローレベルに変化して、ＦＥＴスイッチ１１１がオンからオフに変化すると、キャパシタ１１４にホールドされた固定レベルの信号ｋがＡＧＣ信号として出力される。なお、図５には示していないが、ＦＥＴスイッチ１１１のゲートはプルアップ抵抗によってハイレベルにされており、ＦＥＴスイッチ１１３がオフになった場合でも、ＦＥＴスイッチ１１１が動作する構成になっている。
【００１７】
このように、ＲＦ−ＡＭＰ１の出力ｂがＰ１ｄＢ未満の場合、つまりＬＩＭＩＴ５からの信号ｐがハイレベルの場合は、ＳＷ１０からの信号ｋがＡＧＣ信号としてＲＦ−ＡＭＰ１に供給され、出力ｂがＰ１ｄＢ以上になるとその直前の信号ｋをホールドし、このホールドされた信号をＡＧＣ信号としてＲＦ−ＡＭＰ１に供給する。
【００１８】
次に、図１の放送受信装置の動作について、図６および図７に示すＣＰＵ１２のフローチャートに基づいて説明する。
図６において、所定のイニシャライズ（ステップＳ１）の後、リモコン等の操作によりチャンネルの受信選択がされたか否かを判別する（ステップＳ２）。チャンネルの受信選択がされたときは、受信希望周波数を検出する（ステップＳ３）。受信希望周波数は、選択された受信しようとするチャンネルに応じて自動的に設定される。そして、ＲＳＳＩ・Ｆｉｌｔｅｒ６、ＲＳＳＩ・Ｆｉｌｔｅｒ７のフィルタ係数を設定する（ステップＳ４）。例えば、図３に示したように、ＲＳＳＩ・Ｆｉｌｔｅｒ６のバンドパス特性ＦａおよびＲＳＳＩ・Ｆｉｌｔｅｒ７のバンドパス特性Ｆｂのフィルタ係数を、検出された受信希望周波数がその中心に位置するように設定する。
【００１９】
ステップＳ３で受信希望周波数を検出して、ステップＳ４でフィルタ係数を設定した後、又は、ステップＳ２においてチャンネルの受信選択がされない場合すなわちステップＳ３およびステップＳ４の処理が既に完了している場合には、選択されている受信チャンネルと現在の受信地域とに基づき、受信チャンネル周辺にある受信可能チャンネルの数、つまり受信できるデジタル波の数を調べる。言い換えれば受信希望周波数がその地域で受信できるチャンネル周波数帯の中でどの位置にあるか否かを検出する（ステップＳ５）。そして、受信希望周波数がその周波数帯の中央に位置し、周辺にデジタル波の数が多いか否かを判別する（ステップＳ６）。周辺にデジタル波が少ない場合、つまり受信希望周波数が、受信できる周波数帯の端に位置しているような場合には、ＣＰＵ１２の出力ｉをＬとし、ＳＷ８に狭い帯域を有するＲＳＳＩ・Ｆｉｌｔｅｒ７からの信号ｇ２を選択させる（ステップＳ７）。逆に周辺にデジタル波が多い場合、つまり受信希望周波数が、受信できる周波数帯の中央に位置しているような場合には、ＣＰＵ１２の出力ｉをＨとし、ＳＷ８に広い帯域を有するＲＳＳＩ・Ｆｉｌｔｅｒ６からの信号ｇ１を選択させる（ステップＳ８）。
【００２０】
次に、減算器９の出力である信号ｈを取り込む（ステップＳ９）。そして、信号ｈが特定レベルより大きいか又は特定レベル以下であるかを判別する（ステップＳ１０）。信号ｈが特定レベル以下である場合には、ＳＷ１０に対する選択信号ｊをＬにして、ＳＷ８で選択されたＲＳＳＩ・Ｆｉｌｔｅｒ６又はＲＳＳＩ・Ｆｉｌｔｅｒ７の信号ｇをＲＦ−ＡＧＣ１１への信号ｋとして選択し、ＲＦ−ＡＭＰ１へのＡＧＣ信号とする（ステップＳ１１）。信号ｈが特定レベルより大きい場合には、ＳＷ１０に対する選択信号ｊをＨにして、減算器９の出力である信号ｈをＲＦ−ＡＧＣ１１への信号ｋとして選択し、ＲＦ−ＡＭＰ１へのＡＧＣ信号とする（ステップＳ１２）。
【００２１】
ステップＳ１１若しくはステップＳ１２において選択信号ｊを出力した後、又は、図６のステップＳ２において受信チャンネルの選択がない場合には、リモコン等の操作でＬｉｍｉｔスイッチがオンされたか否かを判別し（ステップＳ１３）、このスイッチがオンされたときは、ＲＦ−ＡＧＣ１１に与える制御信号ｍを反転する（ステップＳ１４）。この選択信号ｍがＨの場合には、図５に示したＲＦ−ＡＧＣ１１の回路において、ＦＥＴスイッチ１１３がオン状態であるので、ＬＩＭＩＴ５からの信号ｐが有効となる。したがって、信号ｐがＨの場合にはＦＥＴスイッチ１１１がオン状態であるので、ＳＷ１０からの信号ｋがＲＦ−ＡＭＰ１へのＡＧＣ信号として出力される。一方、信号ｐがＬに変わるとＦＥＴスイッチ１１１がオフとなり、直前の信号ｋがキャパシタ１１４にホールドされ、固定レベルの信号がＲＦ−ＡＭＰ１へのＡＧＣ信号として出力される。選択信号ｍがＬの場合には、ＦＥＴスイッチ１１３がオフ状態であるので、ＬＩＭＩＴ５からの信号ｐは無効となる。この場合には、ＦＥＴスイッチ１１１はゲートのプルアップ抵抗によってオン状態を維持するので、ＳＷ１０からの信号ｋがＲＦ−ＡＭＰ１へのＡＧＣ信号として常時出力される。
ステップＳ１４において制御信号ｍを反転した後、又は、ステップＳ１３においてＬｉｍｉｔスイッチがオンされない場合には、図６のステップＳ２に移行する。
【００２２】
以上のように、この実施形態の放送受信装置は、受信した放送の高周波信号を増幅する高周波増幅回路１、チャンネル選択信号に対応する可変発振周波数信号と高周波増幅回路１によって増幅された高周波信号とを混合することにより低周波信号ｃを出力するミキサ回路２、ミキサ回路２によって出力された低周波信号ｃの電界強度に応じた振幅の信号ｄを生成する低周波バンドパスフィルタ回路３、ミキサ回路２によって出力された低周波信号ｃに対して受信地域に対応する周波数帯域幅によってフィルタ処理を施す電界強度フィルタ回路６、７、信号ｄと電界強度フィルタ回路６、７によって処理された信号ｇとの差を算出して信号ｈを生成する減算器９、信号ｈの振幅が特定の値よりも大きい場合には信号ｈを高周波増幅回路１に入力する負帰還信号として選択し、信号ｈの振幅が特定の値以下である場合には信号ｇを高周波増幅回路１に入力する負帰還信号として選択するＣＰＵ１２、を備えている。
したがって、製品のコストアップ、小型軽量化の障害、および消費電力の増加を伴うことなく、妨害局信号レベルを効果的に減衰し、受信希望周波数の信号レベルの低下を抑制することができる。
この場合において、電界強度フィルタ回路６、７は、異なる周波数帯域幅で周波数分離して２系統の信号ｇ１、ｇ２を生成する。ＣＰＵ１２は、チャンネル選択信号に応じて信号ｇ１、ｇ２の中から１つの信号ｇを選択し、減算器９は、信号ｄと信号ｇとの差を算出して信号ｈを生成する。
さらにこの場合において、ＣＰＵ１２は、チャンネル選択信号に応じて受信可能なチャンネル数によって設定した周波数帯域幅に対応した信号ｇを選択する。
したがって、地域ごとの受信環境に応じて、妨害局信号レベルを効果的に減衰し、受信希望周波数の信号レベルの低下を抑制することができる。
【００２３】
なお、上記実施形態においては、放送受信装置の発明すなわち物の発明について説明したが、図６および図７に示したＣＰＵ１２の動作によって、放送受信方法の発明を実現することも可能である。
すなわち、本発明における放送受信方法は、受信した放送の高周波信号を所定の信号増幅手段によって増幅するステップＡと、チャンネル選択信号に対応する可変発振周波数信号と前記信号増幅手段によって増幅された高周波信号とを混合することにより低周波信号を出力するステップＢと、前記ステップＢによって出力された低周波信号の電界強度に応じた振幅の第１の信号を生成するステップＣと、前記ステップＢによって出力された低周波信号に対して受信地域に対応する周波数帯域幅によってフィルタ処理を施すステップＤと、前記第１の信号と前記ステップＤによって処理された信号との差を算出して第２の信号を生成するステップＥと、前記第２の信号の振幅が特定の値よりも大きい場合には前記第２の信号を前記信号増幅手段に入力する負帰還信号として選択し、前記第２の信号の振幅が特定の値以下である場合には前記第１の信号を前記信号増幅手段に入力する負帰還信号として選択するステップＦと、を実行する。
【００２４】
前記第１の信号を異なる周波数帯域幅で周波数分離して複数系統の信号を生成するステップＧをさらに有し、前記ステップＦは、チャンネル選択信号に応じて前記複数系統の信号の中から１つの第３の信号を選択し、前記ステップＥは、前記第３の信号と前記ステップＤによって処理された信号との差を算出して第２の信号を生成することを特徴とする。
さらに前記ステップＦは、チャンネル選択信号に応じて受信可能なチャンネル数によって設定した周波数帯域幅に対応した第３の信号を選択することを特徴とする。
【図面の簡単な説明】
【００２５】
【図１】本発明の放送受信装置の構成を示すブロック図。
【図２】図１におけるリミット回路の動作を説明する図。
【図３】図１における２つのＲＳＳＩフィルタ回路の特性を示す図。
【図４】図１のスイッチ回路の機能を示す図。
【図５】図１におけるＲＦ−ＡＧＣ回路の内部構成を示す図。
【図６】図１の放送受信装置の動作を示すＣＰＵのフローチャート。
【図７】図６に続くＣＰＵのフローチャート。
【図８】従来のテレビ受信装置の構成を示すブロック図。
【図９】関東地区におけるアナログ波およびデジタル波の電波分布を示す図。
【符号の説明】
【００２６】
１  高周波増幅回路
２  ミキサ回路
３  低周波バンドパスフィルタ回路
４  低周波増幅回路
５  リミッタ回路
６  電界強度フィルタ回路
７  電界強度フィルタ回路
８  スイッチ回路
９  減算器
１０  スイッチ回路
１１  利得制御回路
１２  ＣＰＵ
【図１】
2007019901.tif 000003
【図２】
2007019901.tif 000004
【図３】
2007019901.tif 000005
【図４】
2007019901.tif 000006
【図５】
2007019901.tif 000007
【図６】
2007019901.tif 000008
【図７】
2007019901.tif 000009
【図８】
2007019901.tif 000010
【図９】
2007019901.tif 000011